(57)【要約】【課題】タッチパネルを装着したデジタルスチルカメラ等で、タッチパネルでドラッグ操作を開始する場合の操作ミスを少なくする。【解決手段】マイコン１０は、タッチパネル１１０から、ドラック操作による操作が入力されることを待ち（ステップＳ４のＮ）、ドラッグ操作が入力された場合（ステップＳ４のＹ）には、「戻るボタン」４０４の表示を消去し、図４（ｂ）のような表示内容とする。このようにすることにより、ドラッグ操作時に誤って、「戻るボタン」４０４をタッチしてしまうおそれがなくなり、ユーザが不意に拡大表示モードから通常表示モードに戻してしまう誤操作をしてしまうことを防止することができる。【選択図】　　　図４
2004048229.tif 000002
【特許請求の範囲】
【請求項１】
ユーザの指示を入力するため、接触操作による位置座標を検出可能なタッチパネルと、
前記タッチパネルへの接触操作から、第１の操作または第２の操作を検出する操作検出手段と、
前記タッチパネルの下面に設けられ、前記第１の操作と第２の操作をガイドするための指示アイテム、及び前記撮影手段によって得られた画像を表示する表示手段と、
前記操作検出手段にて第１の操作が検出された場合、前記第２の操作に対応する前記指示アイテムの表示を非表示とする表示制御手段と、
を具備したことを特徴とする電子機器。
【請求項２】
前記第１の操作とは、前記タッチパネルの所定位置を触れたのち、離す行為であり、前記第２の操作とは、前記タッチパネルに触れたままスライドさせる操作であることを特徴とする請求項１記載の電子機器。
【請求項３】
光学像を電気信号に変換する撮影手段と、
前記撮影手段によって得られた画像を記録する記録手段と、
ユーザの指示を入力するため、接触による座標を検出可能であり、タッチパネルと、
前記タッチパネルへの接触動作から、第１の操作、及び第２の操作を検出する操作検出手段と、
前記タッチパネルの下面に設けられ、前記タッチパネル操作をガイドするための指示アイテムと、前記撮影手段によって得られた画像を表示する表示手段と、
前記操作検出手段にて第１の操作が検出された場合、前記第２の操作に対応する前記指示アイテムの表示を非表示とする表示制御手段と、
を具備したことを特徴とするデジタルスチルカメラ。
【請求項４】
前記第１の操作とは、前記タッチパネルの所定位置を触れたのち、離す行為であり、前記第２の操作とは、前記タッチパネルに触れたままスライドさせる操作であることを特徴とする請求項３記載のデジタルスチルカメラ。
【請求項５】
光学像を電気信号に変換する撮影手段と、
前記撮影手段によって得られた画像を記録する記録手段と、
ユーザの指示を入力するため、接触による座標を検出可能であり、タッチパネルと、
前記タッチパネルへの接触動作から、第１の操作、及び第２の操作を検出する操作検出手段と、
前記タッチパネルの下面に設けられ、前記タッチパネル操作のための指示アイテムと、前記撮影手段によって得られた画像を表示する表示手段と、
前記撮影手段によって得られた画像を拡大表示するモードとなった場合、前記前記表示手段に、前記拡大表示モードから通常表示モードに戻すための表示アイテムを表示する表示モード変更手段と、
前記操作検出手段にて第１の操作が検出された場合、通常表示モードに戻すたるめの表示アイテムを非表示とする表示制御手段と、
を具備したことを特徴とするデジタルスチルカメラ。
【請求項６】
表示装置と、この表示装置に積層され、接触を検出するタッチパネルとを具備し、前記表示装置に表示された表示アイテムに基づいて前記タッチパネルの操作を行う電子機器の表示制御方法において、
前記タッチパネルへの接触操作が、第１の操作であるか第２の操作であるか検出し、
第１の操作であることを検出した場合、前記第２の操作のための表示アイテムを非表示とすることを特徴とする表示制御方法。
【請求項７】
前記第１の操作が完了したあと、所定時間操作が発生していない場合、前記第２の操作のための表示アイテムを再表示することを特徴とする表示制御方法。
【発明の詳細な説明】
【０００１】
【発明の属する技術分野】
本発明は、入力手段にタッチパネルを用いたデジタルスチルカメラ及びタッチパネルを用いた入力操作に関する。
【０００２】
【従来の技術】
従来のデジタルスチルカメラでは、ストロボの設定、ズーム撮影などの設定、及び画像の送り、画像の拡大、縮小などの再生に関する操作を、カメラ本体の背面や上面に配置されたボタン類によって行う。カメラの高機能化及び小型化の要求が高まってきたときに、それに要求を同時に実現することは困難である。高機能化を実現するためには、多くのボタン類を装備するか、操作メニューのネストを深くする必要がある。さらに小型化をするためにはボタン類の数を減らして、操作メニューのネストを更に深くする必要がある。しかしボタン類を増やすことは小型化に不利となり、操作メニューのネストを深くすることは、操作性の低下につながる。そのため機械的なボタン類の数を増やす代わりに、入力手段としてタッチパネルを用いたデジタルスチルカメラが存在する。例えば特開２０００−３４１５７２号公報のように、タッチパネルは抵抗膜を具備した感圧式のものが一般的に用いられ、透明シート状のタッチパネルが、カメラ背面のＬＣＤ表示部前面に設けられる。そして、ＬＣＤ表示部に撮影した画像と、操作メニューを表示させて、タッチしたメニューに相当する機能を実行させることができる。
【０００３】
上述したようなタッチパネルの操作方法として、主に２つの操作が考えられる。
ひとつは、ＬＣＤ表示部に表示された操作メニューの位置を指またはペンでタッチすることによりその操作メニューに対応した操作コマンドが入力され操作をするもの。例えば、静止画再生中にＬＣＤに表示されている矢印マークなどをタッチした場合、次の静止画に移行したり、前の操作画面に戻ったりする機能である。いわゆるタップ操作と称するものである。さらにもう一つの操作機能としては、なぞり操作が考えられる。なぞり操作は、タッチパネルを指やペンなどでなぞりながら上下左右にスライドさせる操作である。この操作によりタッチパネルを利用して自由に文字を入力したり表示画像を移動させたりすることができる操作である。これはいわゆるドラッグ操作と称される。
【０００４】
【発明が解決しようとする課題】
このように、タッチパネルの操作は、タップとドラッグの２種類があるが、デジタルスチルカメラに配置されるタッチパネルは、非常に小さな領域であるので、ドラッグ操作をしているときに、タップ領域をタッチしてしまうことにより誤操作が発生するおそれがあることが分かった。具体的には例えば、ＬＣＤ表示画面の隅にタップ操作領域が配置され、それ以外の部分をドラッグ操作領域として操作可能となっていた場合、ドラッグ操作中に、タップ領域を不意に操作してしまい、タップによる操作コマンドが入力されてしまうおそれがある。例えば、タップ領域には画像の先送りや、表示モード戻りのための矢印マークなどが表示され、ドラッグ領域で画像の拡大、縮小操作などをする操作モードである場合、画像の拡大、縮小操作中に、不意に画像が先送りしてしまったり、表示モードがひとつ前のモードに戻ってしまうようなことがあり得る。
【０００５】
そこで、本発明では、上述した課題を解決するため、タッチパネル操作中の操作ミスを少なくしたデジタルスチルカメラを提供することを目的とするものである。
【０００６】
【課題を解決するための手段】
本発明は、上述した課題を解決するため、ユーザの指示を入力するため、接触による座標を検出可能なタッチパネルと、前記タッチパネルへの接触動作から、第１の操作、及び第２の操作を検出する操作検出手段と、前記タッチパネルの下面に設けられ、前記タッチパネル操作をガイドするための指示アイテムと、前記撮影手段によって得られた画像を表示する表示手段と、前記操作検出手段にて第１の操作が検出された場合、前記第２の操作に対応する前記指示アイテムの表示を非表示とする表示制御手段とを具備したものである。
【０００７】
また本発明は上述した課題を解決するため、前記第１の操作とは、前記タッチパネルの所定位置を触れたのち、離す行為であり、前記第２の操作とは、前記タッチパネルに触れたままスライドさせる操作であるものである。
【０００８】
また本発明は、上述した課題を解決するため、光学像を電気信号に変換する撮影手段と、前記撮影手段によって得られた画像を記録する記録手段と、ユーザの指示を入力するため、接触による座標を検出可能であり、タッチパネルと、前記タッチパネルへの接触動作から、第１の操作、及び第２の操作を検出する操作検出手段と、前記タッチパネルの下面に設けられ、前記タッチパネル操作をガイドするための指示アイテムと、前記撮影手段によって得られた画像を表示する表示手段と、前記操作検出手段にて第１の操作が検出された場合、前記第２の操作に対応する前記指示アイテムの表示を非表示とする表示制御手段とを具備したものである。
また、本発明は上述した課題を解決するため、光学像を電気信号に変換する撮影手段と、前記撮影手段によって得られた画像を記録する記録手段と、ユーザの指示を入力するため、接触による座標を検出可能であり、タッチパネルと、前記タッチパネルへの接触動作から、第１の操作、及び第２の操作を検出する操作検出手段と、前記タッチパネルの下面に設けられ、前記タッチパネル操作のための指示アイテムと、前記撮影手段によって得られた画像を表示する表示手段と、前記撮影手段によって得られた画像を拡大表示するモードとなった場合、前記前記表示手段に、前記拡大表示モードから通常表示モードに戻すための表示アイテムを表示する表示モード変更手段と、　前記操作検出手段にて第１の操作が検出された場合、通常表示モードに戻すたるめの表示アイテムを非表示とする表示制御手段とを具備したものである。
【０００９】
また、本発明は上述した課題を解決するため、表示装置と、この表示装置に積層され、接触を検出するタッチパネルとを具備し、前記表示装置に表示された表示アイテムに基づいて前記タッチパネルの操作を行う電子機器の表示制御方法において、前記タッチパネルへの接触操作が、第１の操作であるか第２の操作であるか検出し、第１の操作であることを検出した場合、前記第２の操作のための表示アイテムを非表示とすることを特徴とするものである。
【００１０】
また、本発明は上述した課題を解決するため、前記第１の操作が完了したあと、所定時間操作が発生していない場合、前記第２の操作のための表示アイテムを再表示するものである。
【００１１】
【発明の実施の形態】
以下、この発明の実施形態について図面を参照して詳細に説明する。
【００１２】
図１は、本発明が適用されるデジタルスチルカメラ１００の構成の一例を示すブロック図である。固定撮像素子１０１からの映像信号は前処理部１０２にて増幅及び濾波された後、Ａ／Ｄ変換器１０３にてデジタル信号に変換される。Ａ／Ｄ変換された信号は、処理部１０４にて信号処理され、画像データとしてメモリ１０５に蓄えられる。
【００１３】
マイコン１０６は本発明を含む制御プログラムを格納するＲＯＭ１０６ａ、及び作業エリアとして使用するＲＡＭ１０６ｂを含む。マイコン１０６はボタン類１０９又はタッチパネル１１０を介して入力されるユーザ指示に応じて装置各部を制御する。マイコン１０６はメモリ１０５に蓄えられた画像データをメモリカード１０７に書き込んだり、ＬＣＤ１０８に出力して画像を表示したり、メモリカード１０７に書き込まれた画像データをＬＣＤ１０８に表示する。
【００１４】
図２は、図１に示したデジタルスチルカメラ１００の背面構成の一例を示す平面図である。カラーＬＣＤ１０８、タッチパネル１１０、シャッターキー１０９ａ、十字キー１０９ｂ、モードキー１０９ｃ等が配置されている。タッチパネル１１０はＬＣＤ１０８全面を覆うように設けられている。タッチパネル１１０は、透明シート状の抵抗膜方式のタッチセンサであり、タッチパネル１１０に例えばユーザの指が接触すると抵抗膜式のセンサにより電圧変化が生じ、接触した位置の座標情報をマイコン１０６に送信することができる。
【００１５】
具体的にはユーザは、透明のタッチパネルを透過して表示されるＬＣＤ１０８表示アイテムの位置を指などでタッチすると、その表示アイテムに対応するコマンドが入力され操作をすることができるものである。
【００１６】
また、本実施形態では、タッチパネルのタッチ操作として、以下３種類の操作が存在する。
【００１７】
（１）タップ
【００１８】
タップとは、タッチパネルの表示アイテムに触れたのち、離すところまでの行為を言う。本実施形態のデジタルスチルカメラにおいては、触れたままで離さないとタップ動作として認識しない。
【００１９】
具体的には、デジタルカメラの再生モード時に、所定の表示アイテムの位置をタップすることにより、表示画像を次ぎの画像に先送りしたり、前の操作画面に戻したりする行為がこれにあたる。
【００２０】
（２）タップ＆ホールド
【００２１】
タップ＆ホールドとは、タッチパネルのアイテムに触れたままの状態を言う。この場合一度離さなくてもキー入力が受け付けられる。
【００２２】
具体的には、日時設定のカウントアップ・ダウン動作のような場合がこれにあたる。
【００２３】
（３）ドラッグ
【００２４】
ドラッグとは、タッチパネル上で、タップ＆ホールドの状態から、上下左右にスライドさせる行為を言う。いわゆるなぞり動作がの操作にあたり、液晶明るさのスライドレバー操作や、画像拡大時の、表示エリア移動操作がこれにあたる。
【００２５】
次に、本実施形態に示すデジタルスチルカメラ１００の基本的な動作、及び図３及び図４を用いて詳細動作について説明する。
【００２６】
本実施形態のデジタルスチルカメラ１００は、基本的な操作モードとして、撮影モードと再生モードがある。撮影モードでは、固定撮像素子１０１から入力される画像データをシャッターボタン１０９ａの操作により撮影し、メモリカード１０７に記録するモードであり、その際には、ＬＣＤ１０８に撮影モードに対応するアイテムが表示され、タッチパネルを介して表示されたアイテムを指でタッチすることにより、撮影モードで必要な各種操作が可能となる。一方、再生モードは、メモリカード１０７に記録させて画像データを読みとり、ＬＣＤ１０８に再生表示するモードであり、この場合にも再生モードに対応するアイテムがＬＣＤ１０８に表示され、タッチパネルを介して表示されたアイテムを指でタッチすることにより、再生モードで必要な各種操作が可能となる。さらに、再生モードでは、各種詳細モードが用意されている。具体的には、通常表示モード、拡大表示モード、スライドショウモードである。通常表示モードでは、再生画像をＬＣＤ１０８全面に表示するもので、再生画像の全体像を見ることができる。拡大表示モードでは再生画像を拡大表示するために、再生画像の一部領域を拡大表示して表示させるモードで、タッチパネルで指を上下左右に動かすことにより拡大表示する領域を任意に移動させることができる。スライドショウモードでは、再生画像を次々に切り換えて表示するモードであり、メモリカード１０７に格納されている画像データを順次読み出し、数秒毎に切換て表示していくモードである。これら再生モードでの各詳細モードにおいても、ＬＣＤ１０８にはそれぞれに対応する画面表示が用意されており、表示されたアイテムを指でタッチパネル操作することにより、各種操作コマンドを入力することができる。
【００２７】
本実施形態においては、これら操作モードの中で、拡大表示モードでもタッチパネル操作を例として、以下図３、図４を用いて詳細動作を説明する。
【００２８】
図３は、本実施形態に基づく再生モード、特に拡大表示モード時のＬＣＤ１０８に表示される表示遷移を説明するためのフローチャートである。また図４は、その表示遷移を示す表示画面の図である。
【００２９】
図３に示すようにまずデジタルスチルカメラ１００がどのモードで動作しているかをマイコン１０６が判定する。そして、再生モードである場合（ステップＳ１のＹＵ）には、更に、再生モードのなかで、どの詳細モードであるかを判定する。そして拡大表示モードであると判定された場合（ステップＳ２のＹ）、ＬＣＤ１０８に表示する表示内容を拡大表示モードに対応して表示内容に切り換える（ステップＳ３）。　尚、マイコン１０６により再生モードでない場合には、撮影モードであるとの判定であるので、撮影モードでの処理に移行し（ステップＳ９）、拡大表示モードでないと判定された場合には、対応する他のモードの処理に移行する（ステップＳ１０）。
【００３０】
ステップＳ３で、拡大表示モードに切り換えられた場合の、表示内容は図４（ａ）に示すとおりである。
【００３１】
図４（ａ）は、拡大表示モードに切り換えられた時の表示画面を示すものであり、ＬＣＤ１０８に、拡大表示された画像４０１が表示されている。本実施形態においては、概念的に、家の画像が拡大表示されているものとしている。
【００３２】
また、拡大表示モードでは、ＬＣＤ１０８の左上の領域に、大きさの異なる２つの枠が表示される。外側の大きな枠４０２は画像全体の概念的な大きさを示すための枠であり、内側の小さな枠４０３は、現在ＬＣＤ１０８に拡大表示している部分を示すものであり、拡大表示位置が移動すると、この小さな枠もそれに対応して移動する。
【００３３】
また、これら大きな枠４０２と、小さな枠４０３は半透明な画像として表示され、拡大表示している画像４０１が透過されて見える状態となっている。
【００３４】
さらに、ＬＣＤ１０８の右下の領域には、拡大表示モードから通常表示モードへ移行するための「戻るボタン」４０４が表示されている。「戻るボタン」４０４が表示されている状態でユーザがこの位置をタップすると、拡大表示モードから、通常表示モードに戻り、拡大されていた画像が通常のサイズ画像データに切り換えられて表示される。また通常モードに切り換わった場合には、左上に表示されていた２つの枠表示も消去される。
【００３５】
次に、マイコン１０は、タッチパネル１１０から、ドラック操作による操作が入力されることを待ち（ステップＳ４のＮ）、ドラッグ操作が入力された場合（ステップＳ４のＹ）には、「戻るボタン」４０４の表示を消去し、図４（ｂ）のような表示内容とする。このようにすることにより、ドラッグ操作時に誤って、「戻るボタン」４０４をタッチしてしまうおそれがなくなり、ユーザが不意に拡大表示モードから通常表示モードに戻してしまう誤操作をしてしまうことを防止することができる。
【００３６】
マイコン１０は、図４（ｂ）のような表示画面において、ドラッグ操作を検出した場合には、タッチパネル１１０から送信されるドラッグ操作に対応する座標情報を受け、拡大画像を移動させ、かつ小さな枠４０３の位置も移動された拡大画像に対応する位置に移動表示する。具体的には、ユーザが下から上にドラッグした場合には、拡大画像を上の方の領域が表示されるように移動し、また小さな枠４０３の位置も上のほうに移動させるものである。
【００３７】
このようにドラッグ操作をしながらユーザは拡大画像を任意の位置に移動操作を完了したあと、所定時間ドラッグ操作がなく、タッチパネル１１０からマイコン１０６にドラック操作の座標情報が入力されなかった場合（ステップＳ７のＹ）には、再度「戻るボタン」を表示させる（ステップＳ８）。これにより、ユーザはドラック操作が終わった後に、「戻るボタン」４０４をタップすることが可能となり、ユーザが拡大表示モードから通常表示モードに移行することを望んだ場合に、「戻るボタン」４０４をタップすることより、通常表示モードに戻すことができる。
【００３８】
このように、タッチパネル操作時に、タップ操作のためのアイテム表示がされている時に、ドラッグ操作がされた場合には、タップ操作のためのアイテム表示を消去することで、ドラッグ操作中の誤操作を防止することができる。
【００３９】
本実施形態では、拡大表示モードでの例を説明したが、他にも下記のような場合に、ドラッグ操作とタップ操作が必要なモードが存在し、上記実施例と同様にタップ操作のためのアイテム表示を消去することで誤操作を防止することができる。
【００４０】
（１）再生画像を加工する場合
【００４１】
これは、表示された画像の上で、ユーザが任意にタッチパネルをドラックし、ドラックした軌跡を絵を描くように描画して、その描画を再生画像と共に合成して記録するものである。このような場合にも、タップ操作のためのアイテムを一旦消去して、ドラッグ操作が所定時間発生しなかった場合に、タップ操作のためのアイテムを再表示することにより、ドラッグ操作時の誤操作を防止することができる。
【００４２】
（２）文字入力をする場合
【００４３】
これは、タッチパネル上でドラッグした軌跡をマイコン１０で文字認識処理し、認識結果をテキストデータして文字入力するものであり、この時入力した認識した文字を確定入力するような場合にタップのための表示アイテムが必要となるが、ドラッグ操作時にはタップのための表示アイテムを消去することにより、誤操作を防止できるものである。
【００４４】
以上説明したように、本実施形態によれば、タッチパネルを装着した電子機器等で、タッチパネルでドラッグ操作を開始する場合には、タップ操作ようの表示アイテムを表示しないようにすることにより操作中の操作ミスを少なくすることができるものである。
【００４５】
【発明の効果】
本発明によれば、タッチパネル操作中に第１の操作を行っているときに第２の操作のための表示アイテムを誤って操作してしまうような操作ミスを少なくすることができる。
【図面の簡単な説明】
【図１】本発明の一実施形態を示すデジタルスチルカメラのシステム構成を示すブロック図である。
【図２】同実施形態におけるデジタルスチルカメラの背面外観を示す平面図である。
【図３】同実施形態におけるＬＣＤに表示される表示内容の変化を示す遷移図である。
【図４】同実施形態におけるタッチパネル操作に基づいた表示内容の変化を説明するためのフローチャートである。
【符号の説明】
１００…デジタルスチルカメラ、１０１…固定撮像素子、１０２…前処理、１０３…Ａ／Ｄコンバータ、１０４…処理部、１０５…メモリ、１０６…マイコン、１０７…メモリカード、１０８…ＬＣＤ、１０９…入力ボタン類、１１０…タッチパネル。
【図１】
2004048229.tif 000003
【図２】
2004048229.tif 000004
【図３】
2004048229.tif 000005
【図４】
2004048229.tif 000006